(57)【特許請求の範囲】
【請求項１】
横材に、面外方向一側方と面外方向他側方を連通する通風路を有する建具であって、
前記通風路を開閉する換気弁と、
換気弁操作部品と、を備え、
前記通風路は、前記横材の面外方向一側の一側開口部と、面外方向他側の他側開口部と、前記一側開口部と前記他側開口部を連通する連通路を有し、
前記換気弁は、前記連通路に設けられて、自重で前記通風路を閉じる下向き姿勢に揺動すると共に、面外方向一側方の空気圧力と面外方向他側方の空気圧力との差圧で前記通風路を開放する上向き姿勢に揺動し、
前記換気弁操作部品は、前記換気弁を揺動させる換気弁揺動部を有する換気弁揺動部材を備え、前記換気弁を所定揺動角度の上向き姿勢に揺動して保持すると共に、前記換気弁の保持を解除し、
前記換気弁揺動部は、前記一側開口部から前記連通路内に突出した状態で前記換気弁と接触して前記換気弁を所定揺動角度の上向き姿勢まで押し上げる換気弁開放位置と、前記換気弁と離隔して前記換気弁が自重で下向き姿勢となる換気弁閉じ位置とで保持され、
前記換気弁揺動部は、保持手段により、前記換気弁開放位置と前記換気弁閉じ位置とで保持され、
前記保持手段は、前記換気弁揺動部の前記換気弁閉じ位置を越えたオーバーランを可能とすることを特徴とする建具。
【請求項２】
前記換気弁揺動部材は、前記換気弁揺動部に一体に設けた操作部を有する請求項１記載の建具。
【請求項３】
前記換気弁操作部品は、下向き姿勢の前記換気弁を手動により上向き姿勢に揺動して保持する請求項１又は２記載の建具。
【請求項４】
請求項１〜３のいずれか１項の建具に用いる換気弁操作部品。
【発明の詳細な説明】
【技術分野】
【０００１】
本発明は、浴室ドアなどの換気弁を備えた建具、及び換気弁を手動により開閉操作する換気弁操作部品に関する。
【背景技術】
【０００２】
換気弁を備えた建具が特許文献１に開示されている。
この建具は、建具枠に障子を開閉自在に取り付けたもので、その建具枠の上枠に換気用の通風路を形成すると共に、その通風路を開閉する換気弁を備え、この換気弁の上部を上枠に、通風路を閉じる下向き姿勢と通風路を開放する上向き姿勢とに渡って上下方向に揺動自在に取り付けている。
【先行技術文献】
【特許文献】
【０００３】
【特許文献１】特開２００９−８４９１１号公報
【発明の概要】
【発明が解決しようとする課題】
【０００４】
浴室内の空気を換気扇により外部に排出して換気することが行われており、このような浴室の出入口に設置する建具として、前述した従来の換気弁を備えた建具を用いることで、換気扇を駆動して浴室を換気するときに浴室内が負圧とならないようにすることができる。
例えば、換気扇が駆動して浴室内が負圧となることで換気弁が通風路を開放する上向き姿勢に揺動して脱衣室側の空気が浴室に流れ、換気扇が停止することで換気弁が通風路を閉じる下向き姿勢に揺動し、浴室内部の湯気が脱衣室側に漏れることを防止する。
【０００５】
前述した建具の換気弁は、通風路の浴室側の空気圧力が通風路の脱衣室の空気圧力よりも低くなることで上向き姿勢に揺動して通風路を開放するので、通風路の開放面積は換気弁の上向き姿勢への揺動角度が大きければ大きく、揺動角度が小さければ小さい。
換気弁の上向き姿勢への揺動角度は、浴室内の空気圧力が低いほど大きく、浴室内の空気圧力は換気扇の排出量（送風量）が多いほど低くなる。
このことから、通風路の開放面積は換気扇の排出量によって決定され、換気扇の排出量が多ければ開放面積は大きく、少なければ小さい。
【０００６】
近年、浴室の換気扇を利用して建家内を２４時間換気することが実施されているが、２４時間換気時の換気扇の排出量を通常の浴室換気時の排出量よりも少なく設定しているので、通風路の開放面積が通常の浴室換気時の開放面積よりも小さく、必要とする空気の流通量、つまり換気量が得られない。
【０００７】
本発明の目的は、換気弁を所定揺動角度の上向き姿勢に揺動保持し、通風路の開放面積を所定の大きさとすることができるようにした建具及び換気弁操作部品とすることである。
【課題を解決するための手段】
【０００８】
本発明は、横材に、面外方向一側方と面外方向他側方を連通する通風路を有する建具であって、
前記通風路を開閉する換気弁と、
換気弁操作部品と、を備え、
前記通風路は、前記横材の面外方向一側の一側開口部と、面外方向他側の他側開口部と、前記一側開口部と前記他側開口部を連通する連通路を有し、
前記換気弁は、前記連通路に設けられて、自重で前記通風路を閉じる下向き姿勢に揺動すると共に、面外方向一側方の空気圧力と面外方向他側方の空気圧力との差圧で前記通風路を開放する上向き姿勢に揺動し、
前記換気弁操作部品は、前記換気弁を揺動させる換気弁揺動部を有する換気弁揺動部材を備え、前記換気弁を所定揺動角度の上向き姿勢に揺動して保持すると共に、前記換気弁の保持を解除し、
前記換気弁揺動部は、前記一側開口部から前記連通路内に突出した状態で前記換気弁と接触して前記換気弁を所定揺動角度の上向き姿勢まで押し上げる換気弁開放位置と、前記換気弁と離隔して前記換気弁が自重で下向き姿勢となる換気弁閉じ位置とで保持され、
前記換気弁揺動部は、保持手段により、前記換気弁開放位置と前記換気弁閉じ位置とで保持され、
前記保持手段は、前記換気弁揺動部の前記換気弁閉じ位置を越えたオーバーランを可能とすることを特徴とする建具である。
【発明の効果】
【０００９】
本発明の建具によれば、換気弁操作部品により換気弁を所定揺動角度の上向き姿勢に揺動して保持することができるので、通風路の開放面積を、面外方向一側方と他側方の空気圧力の差圧に関係なく所定の大きさとすることができる。
これにより、浴室の換気扇を２４時間換気として利用する場合に、必要とする換気量が得られる。
また、換気弁操作部品による換気弁の保持を解除すれば、通常の換気動作を行うことができる。
【図面の簡単な説明】
【００１０】
【図１】換気弁操作部品を備えた建具の正面図である。
【図２】図１の縦断面図である。
【図３】換気弁が上向き姿勢の状態の換気弁取付部分の断面図である。
【図４】換気弁が下向き姿勢の状態の換気弁取付部分の断面図である。
【図５】換気弁操作部品が換気弁開放状態の断面図である。
【図６】換気弁操作部品が換気弁閉じ状態の断面図である。
【図７】換気弁操作部品の分解斜視図である。
【図８】上横枠材から換気弁操作部品を取り外した状態の斜視図である。
【発明を実施するための形態】
【００１１】
図１に示すように、建具１は枠体２に開閉体３を開閉自在に取り付けてある。
枠体２は、上横枠材２０と下横枠材２１と左右の縦枠材２２を方形状に連結してある。
開閉体３は、上框３０と下框３１と左右の縦框３２を方形状に連結し、その内部にパネル３３が装着した障子としてある。
開閉体３の左右一方の縦框３２を枠体２に開閉方向に回動自在に支持することで、開き戸としてある。
【００１２】
建具１は開き戸に限ることはなく、引き戸、片引き戸、引き違い戸、折れ戸などでも良い。開閉体３は扉などでも良い。
この実施の形態の建具は、浴室用の建具であるが、これに限ることはなく、室内の出入口用の建具、室内と室外を仕切る出入口用の建具、窓用の建具等でも良い。
【００１３】
図２に示すように、上横枠材２０は通風路４を有している。
この通風路４は面外方向一側の一側開口部４０と、面外方向他側の他側開口部４１と、その一側開口部４０と他側開口部４１を連通する連通路４２を有している。
そして、一側開口部４０が開閉体２を境とした脱衣室側（面外方向一側方）に開口し、他側開口部４１が開閉体２を境とした浴室側（面外方向他側方）に開口して、通風路４を通して浴室側と脱衣室側とに空気、水などが流れるようにしてある。
【００１４】
通風路４は換気弁５で開閉される。
この換気弁５は、その上部が上横枠材２０に面外方向に向けて揺動自在に取り付けてある。
換気弁５は、通風路４を閉じる下向き姿勢と、通風路４を開放する上向き姿勢とに渡って揺動する。例えば、換気弁５は連通路４２の一側開口部４０寄りに取り付けられ、一側開口部４０を閉じる下向き姿勢と、開放する上向き姿勢とに渡って上下方向に揺動する。
換気弁５は自重で下向き姿勢に揺動して通風路４を閉じる。
そして、通風路４の他側開口部４１の空気圧力が一側開口部４０の空気圧力よりも低くなると、その空気圧力の差圧で上向きに揺動して上向き姿勢となり、通風路４を開放する。
【００１５】
上横枠材２０に、下向き姿勢の換気弁５を手動により上向き姿勢に揺動して保持したり、その保持を解除できる換気弁操作部品６を取り付け、通風路４の他側開口部４１の空気圧力と一側開口部４０の空気圧力との差圧に関係なく換気弁５を、手動で所定揺動角度の上向き姿勢に揺動して保持し、通風路４の開放面積を所定の大きさとすることができるようにしてある。
換気弁操作部品６は図１に示すように上横枠材２０の長手方向中央部に１つ取り付けてあるが、長手方向両側寄りにそれぞれ取り付けても良いし、３つ以上の換気弁操作部品６を取り付けても良い。
【００１６】
このようであるから、浴室の換気扇を使用して建家内を２４時間換気するときに、換気弁操作部品６を手動操作することで換気弁５を所定揺動角度の上向き姿勢に揺動して保持し、通風路４の開放面積を所定の大きさとすることができるから、２４時間換気時の換気扇の排出量が、通常の浴室換気時よりも少なくとも必要とする換気量が得られる。
【００１７】
通常の浴室換気時には、換気弁操作部品６を手動操作して換気弁５の揺動を解除すれば、換気弁５は下向き姿勢に揺動して通風路４を閉じる。
そして、他側開口部４１の空気圧力が一側開口部４０の空気圧力よりも低くなることで、換気弁５は上向き姿勢に揺動して脱衣室側の空気が浴室側に流れる。
他側開口部４１の空気圧力が一側開口部４０の空気圧力と等しくなれば、換気弁５は自重で下向き姿勢に揺動する。
このように、通常の浴室換気動作を行うことができる。
【００１８】
次に、各部の詳細を説明する。
換気弁５は、図３に示すように、厚さが薄い長尺である板状の弁本体５０と、その弁本体５０の上部に設けた取付部５１を有している。
取付部５１は断面がほぼ半円形で、その取付部５１が上横枠材２０の断面ほぼ半円形の凹部２０ａ内に面外方向に回動自在に取り付けてある。
弁本体５０の面外方向一側面５０ａにおける下部寄りに植毛（モヘア）５２が設けられ、換気弁５が下向き姿勢に揺動した際に図４に示すように、植毛５２が一側開口部４０の下開口縁に接することで音鳴りを抑制するようにしてある。
【００１９】
換気弁操作部品６は、本体６ａ及び、この本体６ａに上下方向に回動自在に取り付けられ、換気弁開放位置と換気弁閉じ位置とで保持される換気弁揺動部６ｂと、この換気弁揺動部６ｂを上下に回動する操作部６ｃを有した換気弁揺動部材を備えている。
本体６ａが上横枠材２０の面外方向一側面２０ｂにおける一側開口部４０よりも下方に取り付けられ、換気弁揺動部６ｂが一側開口部４０と対向すると共に、操作部６ｃが上横枠材２０の面外方向一側方に突出する。
【００２０】
換気弁揺動部６ｂが換気弁開放位置のときには、図３に示すように一側開口部４０から連通路４２に内に突出して換気弁５と接触して換気弁５を、前述した所定揺動角度の上向き姿勢まで押し上げる。
換気弁揺動部６ｂが換気弁閉じ位置のときには、図４に示すように連通路４２から抜け出して換気弁５と離隔し、換気弁５は自重で下向き姿勢に揺動する。
【００２１】
操作部６ｃは上横枠材２０の面外方向一側面２０ｂよりも面外側方向一側方に突出している。
図３に示すように、換気弁揺動部６ｂが換気弁開放位置のときには、操作部６ｃは一側開口部４０よりも下方において縦向き姿勢となるので、操作部６ｃが一側開口部４０を流通する空気の流れを阻害することがなく、一側開口部４０に空気がスムーズに流通する。
また、操作部６ｃの面外方向一側面６ｃ−１が面外方向一側方に向かい、面外方向一側方から建具を見たときに、操作部６ｃの面外方向一側面６ｃ−１が目視されるので、その面に、操作弁５が上向き姿勢で通風路４が開放していることを表示、例えば開の文字を表示することで、通風路４が開放していることを感知できる。
【００２２】
図４に示すように、換気弁揺動部６ｂが換気弁閉じ位置のときには、操作部６ｃは横向き姿勢で、本体６ａと離れるので、面外方向一側方から建具を見上げたときに、操作部６ｃの面外方向他側面６ｃ−２が目視されるので、その面に、操作弁５が下向き姿勢で通風路４が閉じていることを表示、例えば閉の文字を表示することで、通風路４が閉じていることを感知できる。
【００２３】
このように、通風路４が開放しているか、閉じているかを目視で感知できるので、換気弁操作部品６で換気弁５を誤った姿勢に操作することを防止できる。
例えば、通常の浴室換気時に換気弁５を上向き姿勢に保持したり、２４時間換気時に換気弁５を下向き姿勢とすることを防止できる。
【００２４】
換気弁操作部品６の詳細を図５、図６、図７に基づいて説明する。
換気弁操作部品６の本体６ａは、取付部６０と、この取付部６０の上部に一体に設けた左右の支持部６１，６１とで正面形状が略上向きコ字形状である。
取付部６０は板状で、裏面にはライナー取付用の凹陥部６２を有し、その表裏面方向（厚さ方向）に向かう取付用孔６３を有すると共に、取付部６０の上面と左右の支持部６１の対向面とに渡って縦片６４を一体に有し、縦片６４の表面と取付部６０の上面と左右の支持部６１の対向面とで上面と表面に開口した凹部６５を形成し、縦片６４の裏面６４ａがストッパー受である。
【００２５】
支持部６１は縦長の板状で、左右方向に向かう軸支承孔６６を有し、この軸支承孔６６の一部分は切欠６７で上面６１ａに開口し、軸支承孔６６は半円よりも若干大きいほぼ半円形である。
支持部６１は取付部６０の裏面よりも突出した突出片６８を有している。
【００２６】
換気弁操作部品６の換気弁揺動部６ｂは、左右の支持部６１間に上下回動自在に取り付けた本体部７０と、この本体部７０に一体に設けた揺動用突片７１を備えている。
本体部７０は、鉤形状の板７２と、この板７２の左右端と連続して一体に設けた左右の縦向片７３とでほぼ下向きコ字形状で、この左右の縦向片７３に軸７４が左右側方に突出してそれぞれ一体に設けてある。
この軸７４が左右の支持部６１の切欠６７から軸支承孔６６に回転自在に嵌まり合うようにしてある。
左右の縦向片７３の外側面には、円弧形状のガイド溝７５が形成してあると共に、このガイド溝７５に、左右の支持部６１に設けた位置決め突部６９が嵌まり合い換気弁揺動部６ｂを、換気弁開放位置及び換気弁閉じ位置で位置決めして保持する第１孔７６と第２孔７７が形成され、換気弁揺動部２ｂを各位置で保持する保持手段としてある。なお、保持手段を操作部６ｃに設けても良い。
【００２７】
ガイド溝７５は軸７４の中心を中心とする円弧形状で、その一端部に第１孔７６が形成され、他端部から若干離れた位置に第２孔７７が形成してある。
揺動用突片７１は本体部７０の板７２と一体的に連続して縦向片７３の円弧状の端面７３ａよりも突出し、この揺動用突片７１が換気弁５の弁本体５０に接するようにしてある。
操作部６ｃは、本体部７０の板７２における揺動用突片７１と反対側に一体に設けたレバー７８を備えている。
【００２８】
そして、本体部７０を左右の支持部６１間に挿入し、左右の軸７４を切欠部６７から軸支承孔６６に回転自在に嵌合すると共に、左右の支持部６１に設けた位置決め突部６９をガイド溝７５に嵌め合わせることで換気弁揺動部６ｂと操作部６ｃを有した換気弁揺動部材を本体６ａに上下方向に回動自在に取り付けることで、換気弁操作部品６とする。
このようであるから、本体６ａに換気弁揺動部材を簡単に回動自在に取り付けることができ、換気弁操作部品６の組み立てが容易である。
【００２９】
前述のように組み立てる際に、位置決め突部６９をガイド溝７５に嵌め合わせるには、支持部６１に位置決め突部６９となるピンや球などを左右方向に移動自在で、かつスプリング等で突出方向に移動して保持し、外力が負荷することで没する方向に移動するように設ければ良い。
または、支持部６１に位置決め突部６９を一体に設けたり、位置決め突部６９となるピンやボールを固定して設け、左右の支持部６１が弾性変形することでピンやボールがガイド溝７５に嵌め合うようにしても良い。
【００３０】
そして、図８に示すように上横枠材２０の面外方向一側面２０ｂを形成する面外方向一側壁２０ｃよりも厚い板厚のライナーと呼ばれる補強プレート８０を、図５、図６に示すように、上横枠材２０の面外方向一側面２０ｂに両面接着テープなどの接着材８１で接着して固定することで取り付ける。
補強プレート８０にはねじ穴を穿孔するための下穴８２が形成してあると共に、上横枠材２０の面外方向一側面２０ｂにおける上端面２０ｄ、つまり一側開口部４０の下開口縁と面一に取り付ける。
このために、補強プレート８０を取り付ける向きを誤ることがないように、補強プレート８０に上向きの矢印８３を設け、この矢印８３で取付作業者が補強プレート８０の取り付ける向きを感知できるようにしてある。
【００３１】
補強プレート８０を取り付けた状態で下穴８２を基準として図５、図６に示すように、補強プレート８０と面外方向一側壁２０ｃとに渡ってねじ穴８４を穿孔する。
本体６ａの取付部６０を、その凹陥部６２に補強プレート８０が嵌まり合うように上横枠材２０の面外方向一側面２０ｂに接すると共に、支持部６１の突出片６８を面外方向一側面２０ｂの上端面２０ｄに接して上下方向に位置決めする。
取付部６０の取付用孔６４からねじ８５をねじ穴８３に螺合して取付部６０を固着することで、換気弁操作部品６を上横枠材２０の面外方向一側面２０ｂに取り付ける。
【００３２】
このように、厚肉の補強プレート８０にねじ８５が螺合することにより取り付けることで、上横枠材２０の面外方向一側壁２０ｃの肉厚が薄くとも換気弁操作部品６を強固に取り付けできる。
【００３３】
図３及び図５に示すように、換気弁揺動部６ｂ（揺動用突片７１）が換気弁開放位置で、換気弁５を所定揺動角度の上向き姿勢に揺動して保持している状態では、位置決め突部６９が第１孔７６に嵌合して位置決めして保持する。
しかも、換気弁揺動部６ｂの本体部７０の縦向片７３の板７２と平行となった部分が凹陥部６５に入り込み縦片６４の表面６４ｂに接し、換気弁揺動部６ｂがそれ以上上方に向けて回動しないようにしているから、操作部６ｃを強い力で操作しても換気弁揺動部６ｂはそれ以上上方に向けて回動することがなく、換気弁５を所定揺動角度の上向き姿勢に保持することができる。
【００３４】
操作部６ｃであるレバー７８は縦向き姿勢となり、本体６ａの取付用孔６３、ねじ８５を覆って目視できないようにしている。
このレバー７８の面外方向一側面が目視されるので、その面に換気弁５が開放状態であることを表示、例えば開の文字を表示する。
【００３５】
図４及び図６に示すように、換気弁揺動部６ｂ（揺動用突片７１）が換気弁閉じ位置で、換気弁５が下向き姿勢に揺動している状態では、位置決め突部６９が第２孔７７に嵌合して位置決めして保持する。
しかも、第２孔７７はガイド溝７５の他端部７５ａと離れた位置に形成され、レバー７８をさらに上方に向けて操作したときに第２孔７７が位置決め突部６９から離れ、ガイド溝７５の他端部７５ａが位置決め突部６９に接する。
【００３６】
これにより、レバー７８を上方に向けて速い速度で操作した際に、換気弁揺動部６ｂが所定の換気弁閉じ位置で停止せずに第２孔７７を越えて移動、つまりオーバーランすることが可能であるから、レバー７８が折れたりすることがない。
つまり、オーバーランが不可能であると、レバー７８に強い力が負荷して折れたりするが、前述のようにオーバーランすればレバー７８に強い力が負荷することなく、折れたりしない。
【００３７】
換気弁揺動部６ｂがオーバーランしたときに、揺動用突片７１が縦片６４の裏面６４ａに接し、それ以上オーバーランしないように規制している。
これにより、レバー７８が上横枠材２０の上部又は上横枠材２０の取付面（天井など）と干渉するのを防止し、レバー７８を手で持って操作した人の手が上横枠材２０の上部又は上横枠材２０の取付面に接して傷つけることがないようにしている。
【００３８】
このように、レバー７８を上方に操作すれば換気弁揺動部６ｂが換気弁閉じ位置となり、レバー７８を下方に操作すれば換気弁揺動部６ｂが換気弁開放位置となるので、換気弁５を上向き姿勢と下向き姿勢とに渡って簡単に手動で揺動して保持できる。
【００３９】
換気弁５は一側開口部４０を開放する上向き姿勢と、閉じる下向き姿勢とに渡って揺動するので、換気弁５は連通路４２の面外方向一側寄りで、換気弁操作部品６の換気弁揺動部６ｂとの面外方向距離が短い。
これにより、換気弁操作部品６の換気弁揺動部６ｂで換気弁６を所定角度の上向き姿勢に確実に回動できると共に、換気弁揺動部６ｂをコンパクトにできる。
【００４０】
前述の実施の形態では、上横枠材２０に通風路４を形成し、換気弁操作部品６を取り付けしたが、下横枠材２１又は、上框３０、下框３１、中間横框に通風路４を形成し、換気弁操作部品６を取り付けしても良い。
つまり、建具の横材に通風路４を形成し、換気弁操作部品６を取り付けすれば良い。
【００４１】
前述の実施の形態では、換気弁操作部品６の操作部６Ｃを手動で操作されるレバー７８としたが、モータなどの動力源として換気弁揺動部６ｂを自動で回動できるようにしても良い。
例えば、浴室の換気扇を通常換気動作する信号でモータを駆動して換気弁揺動部６ｂを換気弁閉じ位置とし、浴室の換気扇を２４時間換気動作する信号でモータを駆動して換気弁揺動部６ｂを換気弁開放位置とする。
【００４２】
なお、本明細書は、以下の発明も開示している。
本発明は、横材に、面外方向一側方と面外方向他側方を連通する通風路を形成すると共に、この通風路を開閉する換気弁を設けた建具であって、
前記換気弁は、自重で通風路を閉じる下向き姿勢に揺動すると共に、面外方向一側方の空気圧力と面外方向他側方の空気圧力との差圧で通風路を開放する上向き姿勢に揺動し、
前記横材に、前記換気弁を所定揺動角度の上向き姿勢に揺動して保持する換気弁操作部品を取り付けたことを特徴とする建具である。
【００４３】
本発明の建具は、前記換気弁操作部品は、下向き姿勢の換気弁を手動により上向き姿勢に揺動して保持するようにできる。
このようにすれば、換気弁操作部品を横材に簡単に取り付けできると共に、構成部材が少なく安価とすることができる。
【００４４】
本発明の建具は、前記通風路は、横材の面外方向一側の一側開口部と、面外方向他側の他側開口部と、一側開口部と他側開口部を連通する連通路を有し、
前記換気弁操作部品は、前記横材の面外方向一側面に取り付けた本体と、この本体に上下方向に回動自在に取り付けた換気弁揺動部材を備え、
前記換気弁揺動部材は、換気弁を所定揺動角度の上向き姿勢まで押し上げる換気弁開放位置と、換気弁が自重で下向き姿勢となる換気弁閉じ位置とに渡って回動可能であり、かつ各位置で保持される保持手段が設けることができる。
このようにすれば、横材の面外方向一側方から手動で操作することで、換気弁を所定揺動角度の上向き姿勢に揺動して保持でき、その操作がやり易い。
【００４５】
本発明の建具は、前記換気弁揺動部材は、前記換気弁開放位置と換気弁閉じ位置とに渡って回動可能で、保持手段で各位置に保持される換気弁揺動部と、この換気弁揺動部を上下に回動する操作部を有し、
前記操作部は、換気弁揺動部が換気弁開放位置のときに縦向き姿勢で、換気弁閉じ位置のときに横向き姿勢で、
前記保持手段は、操作部を縦向き姿勢から横向き姿勢に向けて操作したときに換気弁揺動部を、換気弁閉じ位置を越える位置まで回動可能とすることができる。
このようにすれば、操作部を上下に移動することで換気弁を所定揺動角度の上向き姿勢、下向き姿勢とすることができる。
また、操作部を速い速度で縦向き姿勢から横向き姿勢に向けて操作したときに、換気弁揺動部が換気弁開放位置を越える位置まで回動することが可能であるから、操作部に強い力が負荷して折れたりすることがない。
【００４６】
本発明の建具は、前記換気弁操作部品の本体を、横材の面外方向一側面に接着して取り付けた補強プレートに螺合するねじで取り付けることができる。
このようにすれば、横材の面外方向一側面となる面外方向一側壁の肉厚に関係なく換気弁操作部品を強固に取り付けできる。
【符号の説明】
【００４７】
１…建具、２…枠体、３…開閉体、４…通風路、５…換気弁、６…換気弁操作部品、６ａ…本体、６ｂ…換気弁揺動材、６ｃ…操作材、２０…上横枠材（横材）、２０ｂ…面外方向一側面、４０…一側開口部、４１…他側開口部、４２…連通路、８０…補強プレート、８５…ねじ。
【図１】
0006479066.tif 000002
【図２】
0006479066.tif 000003
【図３】
0006479066.tif 000004
【図４】
0006479066.tif 000005
【図５】
0006479066.tif 000006
【図６】
0006479066.tif 000007
【図７】
0006479066.tif 000008
【図８】
0006479066.tif 000009